(57)【特許請求の範囲】
【請求項１】
高炉に対して原料を装入する１チャージのために、１つの槽と、該１つの槽から払い出した原料を秤量する１つの秤量ホッパからなる原料の秤量・払出しを行う、原料ホッパの秤量制御装置を用いて秤量・払出しを設定する原料ホッパの秤量制御方法であって、
前記１つの槽において、１つの槽から秤量のために出され、秤量された原料を秤量ホッパから払出しを行う複数回の秤量・払出しを設定する原料は副原料またはコークスであり、それぞれ原料ホッパの秤量制御を行うにあたり、
１つの槽で１チャージの内に秤量・払出す原料についての秤量設定値を読み込む工程と、読み込んだ秤量設定値に基づき、前記１つの秤量ホッパに前記原料を目標秤量値まで貯める工程と、
貯めた原料を前記１つの秤量ホッパが空になるまで払出す工程とを有し、
前記各工程を前記複数回の秤量・払出しを設定する原料ごとに順に行い、１チャージの内に副原料またはコークスを２回以上秤量・払出しすることを特徴とする、原料ホッパの秤量制御方法。
【発明の詳細な説明】
【技術分野】
【０００１】
本発明は、原料を秤量し払出し時に混合・ブレンドする、原料ホッパの秤量制御方法に関するものである。
【背景技術】
【０００２】
一般的に、ホッパから原料排出し、コンベア（例えばベルトコンベア）で輸送を行う設備では、原料排出装置としてホッパ底部にゲートまたはフィーダ（例えば電磁フィーダ）またはこれらを組み合わせたものを用いている（例えば特許文献１、２等）。
【特許文献１】特開平５−１６８９７１号公報
【特許文献２】特開平６−４０５４３号公報
【発明の開示】
【発明が解決しようとする課題】
【０００３】
従来、１つのホッパで秤量し払出す原料は、１チャージの内、１回である。しかしながら、高炉の場合、最近では、炉内装入物分布をより厳密にする為に、１チャージに装入する鉱石、コークスを分割し、それぞれの原料の配合を変えるのが一般的となっている。
【０００４】
例えば、鉱石を２分割、コークスを２分割し、Ｃ１／Ｃ２／Ｏ１／Ｏ２で１チャージの装入を行う。従来、１つのホッパで秤量、払出す原料は、１チャージの内、１回であるため、ある原料ＡをＯ１とＯ２の両方に配合する場合には、Ａの槽を２槽用意する必要があった。
【０００５】
図３は、貯鉱槽５槽で鉱石２分割の例を説明する図である。  Ｏ１に原料Ｂ、Ｃを配合、さらにＯ２に原料Ａ、Ｂ、Ｃを配合する貯鉱槽５槽(１〜５号槽)の場合を図３上段に示している。そして、原料Ａを配合すると生産性が上がるため、Ｏ１にも配合したい(原料ＡをＯ１とＯ２の両方に配合する)という要望がでた場合には、少量の配合であっても、他原料Ｂの槽をＡの槽に振替えるか、振替えでは装入能力が不足する場合、または振替えられる予備槽が無い場合は、図３下段に示すように、原料Ａ用の槽(６号槽)を新設しなければならない。場合によっては、ベルトコンベアの延長も必要になる。以上のように、多大な費用をかけての新設を余儀なくされていた。
【０００６】
本発明は、これら従来技術の問題点に鑑み、槽の新設を行うことなく、１つの槽で秤量・払出す原料を１チャージの内、複数設定することが可能な、原料ホッパの秤量制御方法を提供することを課題とする。
【課題を解決するための手段】
【０００８】
上記課題は、以下の手段により解決できる。
［１］高炉に対して原料を装入する１チャージのために、１つの槽と、該１つの槽から払い出した原料を秤量する１つの秤量ホッパからなる原料の秤量・払出しを行う、原料ホッパの秤量制御装置を用いて秤量・払出しを設定する原料ホッパの秤量制御方法であって、
前記１つの槽において、１つの槽から秤量のために出され、秤量された原料を秤量ホッパから払出しを行う複数回の秤量・払出しを設定する原料は副原料またはコークスであり、それぞれ原料ホッパの秤量制御を行うにあたり、
１つの槽で１チャージの内に秤量・払出す原料についての秤量設定値を読み込む工程と、読み込んだ秤量設定値に基づき、前記１つの秤量ホッパに前記原料を目標秤量値まで貯める工程と、
貯めた原料を前記１つの秤量ホッパが空になるまで払出す工程とを有し、
前記各工程を前記複数回の秤量・払出しを設定する原料ごとに順に行い、１チャージの内に副原料またはコークスを２回以上秤量・払出しすることを特徴とする、原料ホッパの秤量制御方法。
【発明の効果】
【００１０】
本発明は、１つの槽で仮想的に複数の槽が存在する様に秤量制御を行うようにしたので、槽の新設を行うことなく、１つの槽でもって秤量・払出す原料を１チャージの内、複数設定することができた。これにより、設備化費用と設備化のための停止時間を大幅に削減することができた。さらに、日々進歩する配合技術に対して、操業の自由度を大きく拡げることができるようになった。
【発明を実施するための最良の形態】
【００１１】
図４は、本発明を考案するに至った知見を説明する図である。これまで、１つの槽で秤量、払出す原料は１チャージの内、１回にしていたのは、タイムサイクルの問題である。
【００１２】
図４（ａ）は、従来の、１槽の秤量は１チャージ内、１回の場合を示す図である。これを、図４（ｂ）に示す、１号槽（秤量量大）が１チャージ内、２回秤量の場合のように、秤量量の多い主原料等を１チャージの内、２回以上秤量したのでは１チャージの秤量時間が非常に長くなり、炉頂装入に間に合わなくなる。
【００１３】
しかし、図４（ｃ）に示す、５号槽（秤量量少）が１チャージ内、２回秤量の場合のように、少量の配合、例えば副原料やコークス等であれば、１チャージの内、２回以上秤量しても、主原料の秤量時間が支配的であるため、１チャージの秤量時間の延長は微少で済むことが分かった。このように、秤量する量が少量のホッパでは、タイムサイクルが伸びる弊害が微少であり、特に効果がある。
【００１４】
そこで、多大な費用をかけてホッパを新設するのでは無く、安価なソフト改造で実現することができる本発明を考案したものである。図２は、本発明に係る原料ホッパの秤量制御装置の構成例を示す図である。また、図１は、本発明に係る原料ホッパの秤量制御方法の処理手順例を示す図である。図中、１は５号槽、２は電磁フィーダ、３は秤量ホッパ、４はロードセル、５は払出ゲート、６は電磁フィーダ、７は秤量制御器、８はフィーダ駆動盤、および９は開閉・駆動盤をそれぞれ表す。
【００１５】
先ず、図１は、１つのホッパ（５号槽１）に対して制御的には仮想的に２つの槽（５A号槽と５B号槽）が存在する様に秤量制御系を構成する制御システムの例を示したものである。５号槽１の下部に設置した電磁フィーダ２で原料を排出して、ロードセル４を備えた秤量ホッパ３で内容物の秤量を行う。目標の秤量分を貯えたら、下部に設置した払出ゲート５を開けて電磁フィーダ６またはベルトコンベア（図示せず）で輸送するものである。
【００１６】
秤量制御器７は、ロードセル４の秤量値および上位管理計算機（図示せず）から秤量設定値 (この例では、分割区分(O１、O２)および目標とする秤量値(２．５ｔ、５．０ｔ))などを入力として、仮想的に５Ａ号槽と５Ｂ号槽が存在する様に制御演算を行い、出力として制御信号を、フィーダ駆動盤８および開閉・駆動盤９に送る。
【００１７】
以下、図１に基づき本発明の処理手順を説明してゆく。先ずStep01にて、今回の秤量が
O１かO２のどちらかを判断します。O１の場合はStep02で、O２の場合はStep03で、それぞれの秤量設定値を読み込みます。
【００１８】
次にStep04で、フィーダ駆動盤８を介して、５号槽１の下部に設置した電磁フィーダ２の運転を開始して、原料を５号槽１から秤量ホッパ３に排出する。そして、Step05で秤量ホッパ３がStep02またはStep03で読み込んだ目標秤量値になったと判断した時点で、電磁フィーダ２の運転を停止し５号槽１からの原料排出を止めて、秤量ホッパ３下部の払出ゲート５を開くと共に、電磁フィーダ６の運転を開始します(Step06)。
【００１９】
Step07で秤量ホッパ３が空になるまで秤量ホッパ３からの原料の払出しを行い。秤量ホッパ３が空になった時点で、ゲート５を閉じると共に、電磁フィーダ６の運転を止め(Step08)、次の秤量制御を行うため、Step01に処理を戻します。
【００２０】
以上説明した本発明を、高炉の貯鉱槽の小塊コークス槽(Ｃ１／Ｃ２／Ｏ１／Ｏ２での装入スケジュール時、Ｏ１、Ｏ２の両方に小塊コークスを配合する操業)に適用したところ、従来行って来たホッパ新設の場合に比べ、設備化費用として約１／２０の費用で同等の機能を達成できた。さらに、従来の工事の為の設備停止時間に対して１／１０の停止時間でソフト改造を完了できた。
【００２１】
また、日々進歩する配合技術に対して、これまで設備的な制約が大であったが、本発明により操業の自由度を大きく拡げることができるようになった。
【図面の簡単な説明】
【００２２】
【図１】本発明に係る原料ホッパの秤量制御方法の処理手順例を示す図である。
【図２】本発明に係る原料ホッパの秤量制御装置の構成例を示す図である。
【図３】貯鉱槽５槽で鉱石２分割の例を説明する図である。
【図４】本発明を考案するに至った知見を説明する図である。
【符号の説明】
【００２３】
１    ５号槽
２    電磁フィーダ
３    秤量ホッパ
４    ロードセル
５    払出ゲート
６    電磁フィーダ
７    秤量制御器
８    フィーダ駆動盤
９    開閉・駆動盤
【図１】
0005369395.tif 000002
【図２】
0005369395.tif 000003
【図３】
0005369395.tif 000004
【図４】
0005369395.tif 000005